(57)【要約】      （修正有）【課題】使用することによりカロリー摂取量を減少させることができるボトル・キャップを提供する。【解決手段】本発明は、中空チューブ３と、中空チューブに接続される飲用開口部４とを有する、ボトル４０の開口部に取り付けるためのボトル・キャップ１。さらに、飲用領域が設けられ、飲用開口部は、飲用領域内に構成される。本発明は、複数の小開口部が飲用領域内に構成されること、および、液体リザーバ２１がボトル・キャップ内に設けられることを特徴とする。液体リザーバは、小開口部に流体密に接続される。加えて、分注デバイスが設けられ、この分注デバイスは、作動されたときに、事前に決めることができる量の液体を液体リザーバから小開口部を介して分注する。【選択図】図１
2020128259.tif 000002
【特許請求の範囲】
【請求項１】
ボトル（４０）の内部に延伸する中空チューブ（３）を有し、
該中空チューブ（３）に接続された飲用開口部（４）を有し、
飲料領域（６）を有し、
前記飲用開口部（４）が前記飲用領域（６）内に設けられる、前記ボトル（４０）の開口部に取り付けるためのボトル・キャップ（１，１００，２００）であって、
前記飲用領域（６）内に構成された複数の小開口部（１１）であって、前記飲用開口部（４）よりも小さい直径を有する複数の小開口部（１１）と、
前記ボトル・キャップ（１，１００，２００）内の液体リザーバ（２１，２２）であって、前記小開口部（１１）に接続された液体リザーバ（２１，２２）と、
作動されたときに前記小開口部（１１）を介して前記液体リザーバ（２１，２２）から液体を分注する分注デバイスと、
を備え、
前記液体リザーバ（２１，２２）が、前記小開口部（１１）に流体密に接続され、
前記分注デバイスが、作動されると、予め決めることができる量の前記液体を前記液体リザーバ（２１，２２）から前記小開口部（１１）を介して分注し、
前記複数の小開口部（１１）が、前記液体を霧化するように構成されるボトル・キャップ（１，１００，２００）。
【請求項２】
前記飲用領域（６）内の前記飲用開口部（４）および前記小開口部（１１）を流体密に閉じるためにストッパ（３０）が設けられ、該ストッパ（３０）が、垂直および／または回転運動により閉位置から開位置に移行可能な請求項１に記載のボトル・キャップ（１）。
【請求項３】
前記分注デバイスが、前記ストッパ（３０）が前記閉位置から前記開位置に移動すると作動可能な請求項２に記載のボトル・キャップ（１）。
【請求項４】
前記分注デバイスが、前記ストッパ（３０）が前記開位置から前記閉位置に移動すると作動可能な請求項２または３に記載のボトル・キャップ（１）。
【請求項５】
前記飲用領域（６）を閉じるために、横方向にヒンジ留めされたフリップ・クロージャ（２３０）が設けられ、
該フリップ・クロージャ（２３０）のための止め具（２３１）が、前記ボトル・キャップ（２００）上に構成され、
前記止め具（２３１）が、前記フリップ・クロージャ（２３０）との接触により前記分注デバイスを作動させるように構成される請求項１から４のいずれか一項に記載のボトル・キャップ（２００）。
【請求項６】
前記ボトル・キャップ（１００）が、円筒状に構成され、
前記ボトル・キャップ（１００）の外周面（１３２）上に、前記分注デバイスを作動させるための作動デバイスが構成される請求項１から５のいずれか一項に記載のボトル・キャップ（１００）。
【請求項７】
前記分注デバイスが、前記液体の分注経路において前記液体リザーバ（２１，２２）および前記小開口部（１１）に流体密に接続されるように設けられた少なくとも１つの圧力チャンバ（１３，１４）を有する請求項１から６のいずれか一項に記載のボトル・キャップ（１）。
【請求項８】
前記分注デバイスが、前記予め決めることができる量の前記液体を前記圧力チャンバ（１３，１４）から分注するように、かつ、分注後に前記圧力チャンバ（１３，１４）を再びいっぱいに満たすように構成される請求項７に記載のボトル・キャップ（１）。
【請求項９】
前記液体の前記予め決めることができる量が、１ｍｌから１０ｍｌ、特に４ｍｌから６ｍｌである請求項１から８のいずれか一項に記載のボトル・キャップ（１，１００，２００）。
【請求項１０】
前記分注デバイスが、ポンプ機構を有する請求項１から１１のいずれか一項に記載のボトル・キャップ（１，１００，２００）。
【請求項１１】
前記ポンプ機構が、機械的、電気的および／または圧電的に構成される請求項１０に記載のボトル・キャップ（１，１００，２００）。
【請求項１２】
外部通信インタフェースを有するマイクロコントローラが設けられ、
前記分注デバイスが、前記マイクロコントローラと通信するように構成される請求項１から１１のいずれか一項に記載のボトル・キャップ（１，１００，２００）。
【請求項１３】
少なくとも２つの液体リザーバ（２１，２２）が設けられる請求項１から１２のいずれか一項に記載のボトル・キャップ（１，１００，２００）。
【請求項１４】
請求項１から１３のいずれか一項に記載のボトル・キャップ（１，１００，２００）が設けられるボトル（４０）、マグまたはカップ。
【発明の詳細な説明】
【技術分野】
【０００１】
本発明は、ボトルの開口部に取り付けるためのボトル・キャップに関する。ボトル・キャップは、ボトルの内部に延伸する中空チューブを有する。さらに、ボトル・キャップは、中空チューブに接続される飲用開口部（ｄｒｉｎｋｉｎｇ  ｏｐｅｎｉｎｇ）を有する。また、飲用領域が設けられ、飲用開口部は、飲用領域内に設けられる。
【０００２】
言い換えれば、ボトル・キャップは、例えば飲料ボトル上に螺合され得る。ボトルへの取付け部の的確な設計は、いずれの場合でも、ボトル自体がどのように設計されるのかに依存する。例えばボトルが雄ねじを有する場合、ボトル・キャップは、相補的な構造の雌ねじを備える。ボトルの内部に延伸する中空チューブは、ボトル基部の領域まで達することが好ましい。しかし、必ずしもそうでなくともよい。中空チューブは、ボトルの内側に接続されるようにボトル・キャップの端まで延伸するのでも十分である。中空チューブはまた、例えば飲用領域からボトル・キャップのボトル側端部まで延伸するチャネルの態様で構成されてもよい。
【０００３】
中空チューブは、他方の端部では、飲用領域内に設けられる飲用開口部で終端する。これは、ボトルの内側からの液体がボトル・キャップを通して飲まれることを可能にする。
【背景技術】
【０００４】
ＷＨＯによる最新の調査によれば、独国人口のほぼ半分が、体重超過に分類され得る。同じ基準によると、米国では、人口の４０％もが、体重超過のみならず肥満に分類される。
【０００５】
その理由の１つは、とりわけ、非常に大きなカロリー摂取量を伴う、過度に加糖された飲料の消費である。
【０００６】
例えば、水に切り替えることによりそのような消費を避けるべきであることが知られているが、これは、味覚体験（ｔａｓｔｅ  ｅｘｐｅｒｉｅｎｃｅ）の損失を伴うことが多く、そのため、問題のある標的集団においては特に、切替えが検討されないことが多い。
【発明の概要】
【発明が解決しようとする課題】
【０００７】
したがって、本発明は、使用することによりカロリー摂取量を減少させることができるボトル・キャップを特定するという目的に基づく。
【課題を解決するための手段】
【０００８】
この目的は、本発明によれば、請求項１に記載の特徴を有するボトル・キャップによって達成される。
【０００９】
本発明の有利な実施形態は、従属請求項、本明細書ならびに図面およびその説明において明記される。
【００１０】
本発明によれば、飲用開口部よりも小さい直径を有する複数の小開口部を飲用領域に設けることにより、汎用ボトル・キャップが開発された。加えて、小開口部に流体密に接続される液体リザーバが、ボトル・キャップ内に設けられた。さらに、ボトル・キャップ内に同様に配置され得る分注デバイスが設けられた。この分注デバイスを用いると、分注デバイスが作動されたときに、事前に決めることができる量の液体が液体リザーバから小開口部を介して分注される。
【００１１】
本発明の背景にある基本概念は、味蕾または味覚神経は、飲用中ずっと活動しているのではない、または脳に情報を伝えてはいない、という知見にある。したがって、本発明は、飲用過程（ｄｒｉｎｋｉｎｇ  ｐｒｏｃｅｓｓ）中、実質的に開始時および終了時にのみ、情報が味蕾から脳に伝えられて脳内で処理されるという所見に基づく。言い換えれば、実質的に、飲用開始時および飲用過程の終了時に、味覚体験が存在する。
【００１２】
本発明は、この知見を活用することを望むものである。本発明によれば、ボトル・キャップ内に液体リザーバが設けられ、この液体リザーバ内には、例えばシロップまたは味付きの液体が格納され得る。この液体は、飲用領域内の小開口部を介して、目標とされた態様で分注デバイスによって分注され得る。
【００１３】
ここで、分注が行われる場合、飲用の開始時および／または終了時であることが好ましい。
【００１４】
その結果として、例えば、ボトルそのものの中には水が存在し、水は、カロリーを含まずまた味もほとんどしないことで知られている。飲用過程の始めに、事前に決めることができるわずかな量が、小開口部を利用して、分注デバイスにより液体リザーバから飲用者の口の中へ分注される。その間に、味覚体験が得られる。次いで、ボトル・キャップの使用者は、水を飲むことができ、その間、味覚体験が存在し続ける。飲用過程の終了時に、事前に決めることができる量の液体が再び分注されてもよく、その結果、味覚体験がさらに強調される。
【００１５】
これにより、例えば加糖液体を用いて行われる飲用過程と比較して、飲用過程中に摂取される総カロリー量の大幅な減少が達成される。本発明によれば、マグまたはカップも、ボトルと見なされ得る。
【００１６】
原則的に、複数の小開口部は、任意に設計され得る。しかし、小開口部が液体を霧化するように構成されると有利である。飲用過程の開始時での霧化は、液体リザーバからの液体を飲用者の口の中に特に良く分散させて、たとえ少量の液体の味覚体験であっても強調することができる
【００１７】
流体密に開口部を閉じるために飲用領域内にストッパが設けられることが好ましく、このストッパは、例えば垂直の、および／または回転的な運動により、閉位置から開位置へ移送され得る。このタイプの設計により、ボトルからの液体ならびにリザーバからの液体が運搬中に漏れ出すことのないように、本発明によるボトル・キャップを使用してボトルをきつく閉めることができることが確実になる。
【００１８】
ストッパが閉位置から開位置へ移動されるときに分注デバイスが作動され得ると、さらに有利である。同様に、分注デバイスは、加えて、またはその代わりに、ストッパが開位置から閉位置へ移動されるときにも作動可能とされ得る。
【００１９】
そのような設計を用いることにより、飲用過程の開始時および／または飲用過程の終了時に飲用者に対して味覚体験が存在するように、望ましい結果を得ることができる。この目的のために、本発明によるボトル・キャップは、特にスポーツ用ボトルで知られているプルまたはプッシュ／プル・システムを有することができる。この場合、ストッパは、飲用のために、ボトル本体から離れるように垂直上方に移動される。これは通常、運動選手または飲用者がストッパを噛んでボトルをわずかに押し離すことによって行われる。分注デバイスがストッパに接続されている場合、これは、ボトルそのものからの液体が運動選手の口に入る直前に液体リザーバからの液体が分注され、したがって味覚体験が存在することにつながる。
【００２０】
同様に、閉じることにより、味覚体験が再び運動選手に与えられることになる。全体的に見て、これは、水を飲んだのではなく実質的に液体リザーバ内に存在する液体を飲んだという印象を、運動選手に与える。
【００２１】
代替の実施形態では、飲用開口部および小開口部を含む飲用領域を閉じるために、フリップ・クロージャが設けられ得る。このフリップ・クロージャは、横方向にヒンジ留めされるように構成され得ることが好ましい。このタイプの構造によれば、ボトル・キャップがフリップ・クロージャのための止め具を有すること、および、止め具がフリップ・クロージャとの接触により分注デバイスを作動させるように構成されることが可能である。このタイプの設計の目的は、ひいては、開口すると実際の飲用過程の開始前に液体リザーバからの少量の液体が分注デバイスを介して使用者の口の中に噴霧され得ることである。
【００２２】
さらなる実施形態では、ボトル・キャップは、略円筒状に構成されてもよく、また、分注デバイスを作動させるための作動デバイスをボトル・キャップの外周面に有することができる。理想的には、作動デバイスは、ボトルが口に運ばれるときに作動デバイスが握られ、これにより作動されるような位置決めおよびサイズとされる。この構造もやはり、実際の飲用過程すなわちボトルから液体を摂取する前に液体リザーバからの少量の液体が使用者の口の中に噴霧されることを可能にする。
【００２３】
さらなる実施形態では、分注デバイスは、少なくとも１つの圧力チャンバを有し、この圧力チャンバは、液体リザーバおよび小開口部に流体密に接続され、かつ、液体リザーバと小開口部との間の液体の分注経路内に配置される。分注されるべき量の液体は、例えばボトル・キャップのストッパが開かれたときに圧力チャンバが空にされて、圧力チャンバ内に存在する量の液体が飲用者の口の中に噴霧されるように、その圧力チャンバ内に一時的に蓄えられ得る。圧力チャンバの提供は、単純な構造を可能にし、また、飲用過程において分注されるべき液体リザーバからの液体の最大量を決定する働きをし得る。
【００２４】
これに関連して、事前に決めることができる量の液体が圧力チャンバから分注されたときに圧力チャンバが分注後の分注デバイスを介して再びいっぱいに満たされるように分注デバイスが構成されることが好ましい。その結果として、正しい量が、次回の飲用過程のために前もって自動的に圧力チャンバ内で利用可能となる。
【００２５】
事前に決めることができる量の液体が分注デバイスにより一気に分注される場合、飲用者によって受け取られる味覚体験を十分なものにするには極めて少量であっても十分であることが分かっている。ここで、液体の量は、約１ｍｌから１０ｍｌであると好ましく、特に４ｍｌから６ｍｌ、好ましくは５ｍｌである。
【００２６】
原則的に、分注デバイスは、任意に設計され得る。液体リザーバから液体を分注するように構成されたポンプ機構が設けられるのであれば、特に単純な設計が可能である。圧力チャンバが設けられる場合、液体リザーバから圧力チャンバ内への液体の移送は、ポンプ機構を介して実現され得る。ポンプ機構は、様々な方式で設計することができ、例えば、機械的、電気的、および／または圧電的な設計が可能である。ポンプ機構を設計する的確な方式は、使用の領域に大きく依存する。
【００２７】
例えば、外部通信インタフェースを有することができるマイクロコントローラがボトル・キャップ内にさらに設置されるのであれば、ポンプ機構および／または分注デバイスそのものが電気的な設計のものであることが有利である。したがって、分注デバイスとの通信は、分注デバイスをよりきめ細かく構成するために、かつ／または例えば飲用過程の回数などに関するログ・データを検索するために、マイクロコントローラ介して実現され得る。
【００２８】
味覚体験をさらに向上させるために、２つ以上の液体リザーバが設けられてもよい。例えば、飲用過程の開始時に液体リザーバのうちの一方から液体が分注され、飲用過程の終了時にもう一方の液体リザーバから液体が分注される、２つの液体リザーバを設けることが可能である。これは、使用者の味覚体験に影響を与える別の方法である。
【００２９】
さらに、本発明は、本発明に係るボトル・キャップを有するボトルに関する。既に説明したように、この場合のボトル・キャップは、ボトルに適用され得るように、適切に構成され、かつ、そのためのサイズとされる。例えば、商業的に入手され得るような標準的なＰＥＴボトルにボトル・キャップを適用することができるような大きさにボトル・キャップを作ることが可能である。
【００３０】
以下、添付の図面を参照しながら、概略的で例示的な実施形態を用いて本発明をより詳細に説明する。
【図面の簡単な説明】
【００３１】
【図１】第１の実施形態に係る本発明によるボトル・キャップの概略図である。
【図２】第２の実施形態に係る本発明によるボトル・キャップの概略図である。
【図３】さらなる設計に係る本発明によるボトル・キャップの概略図である。
【発明を実施するための形態】
【００３２】
３つの図にわたって、同一の部品は、同一の参照番号で標識されている。
【００３３】
図１は、本発明に係るボトル・キャップ１の第１の実施形態を示す。このボトル・キャップ１は、雌ねじ８により、雄ねじ４１を有するボトル４０に取り付けられる。
【００３４】
中空チューブ３が、ボトル・キャップ１を貫通して、ボトル４０の内部に延伸する。この中空チューブ３は、飲用領域６に配置された飲用開口部４の上端部に接続される。飲用領域６の下には、圧力チャンバ１３，１４が配置される。２つの圧力チャンバ１３，１４の下には、同様に２つの液体リザーバ２１，２２が配意される。第１の圧力チャンバ１３と第１の液体リザーバ２１との間の接続部は、共通の接触表面または分割壁上の適切な弁１５によって作られる。同様の弁１５により、第２の圧力チャンバ１４と第２の液体リザーバ２２との間にも接続部が設けられる。２つの圧力チャンバ１３，１４は、流体を霧化する働きをする小開口部１１への接続部をさらに有する。小開口部１１は、飲用領域６内に設けられる。
【００３５】
ボトル・キャップの上端部には、ニップルの形態で作られたストッパ３０が構成される。原則として、このストッパ３０は、引き出されたときに飲用開口部４を露出させ、それにより飲用開口部４を介してボトル４０の内部から液体を飲むことができるように、公知の構造を有する。
【００３６】
本発明によるボトル・キャップ１の機能は、以下でより詳細に説明される。これに関連して、ボトル・キャップ１の複数の部品から構成される分注デバイスについても論じられる。
【００３７】
初期状態では、予め決めることができる量の液体が第１の圧力チャンバ１３に入れられているが、第２の圧力チャンバ１４は空である。ストッパ３０が引き上げられると、第１の圧力チャンバ１３の基部も同様に上方に移動する。それにより、第１の圧力チャンバ１３に入れられた液体が、小開口部１１から絞り出される。
【００３８】
ストッパ３０が上方に引っ張られると、第２の圧力チャンバ１４内の分割壁も押し下げられ、それにより、第２の液体リザーバ２２に入れられた液体の一部が、連通している容器と適切な弁の原理により、第２の圧力チャンバ１４内へ移送される。
【００３９】
ストッパ３０が開かれると、使用者は、飲用開口部４を介してボトルの内容物を飲むことができる。使用者は、ストッパ３０を閉じ次第、ストッパ３０を押し下げる。その結果として、基部または可動壁は、たわみにより第２の圧力チャンバ１４内で押し上げられ、それにより、第２の圧力チャンバ１４からの液体は、小開口部１１を介して分注される。同様に、分割壁は、第１の圧力チャンバ１３内で下方に変位され、結果として、第１の液体リザーバ２１からの液体は、ひいては弁１５を介して第１の圧力チャンバ１４内へ移送される。
【００４０】
当然ながら、原則的に、機械的手段、電気的手段および圧電的手段によって同様に実装され得る、他の分注機構も利用可能である。
【００４１】
したがって、本発明によれば、ボトル・キャップ１を用いると、飲用過程が始められる前に特定の量の液体が使用者の口領域内に最初に噴霧されることが可能となる。それにより、選択された液体に対応する味覚体験がもたらされる。次いで、実際の液体をボトル４０から飲むことができる。この液体は、すでに述べたように飲用過程中の味覚体験にほとんど貢献しない水であることが好ましい。
【００４２】
ボトル・キャップ１が閉じられるとき、液体が第２のリザーバ２２または第２の圧力チャンバ１４から使用者の口の中に再び噴霧される。これは、味覚体験を再び強化し、そのため、使用者は、味付きの液体をずっと飲んでいたと錯覚させられる。
【００４３】
原則的に、開くときにのみ、または閉じるときにのみ分注を提供することも、当然ながら可能である。同様に、異なる２つの液体リザーバ２１，２２が設けられることは、必須ではない。
【００４４】
図２では、本発明によるボトル・キャップ１００の代替の実施形態が示されている。このボトル・キャップ１００は、分注デバイスを作動させるためにストッパが使用されないという事実により、図１に示されたボトル・キャップ１とは実質的に異なる。この目的のために、レバー１３５が、外周面１３２上に設けられる。このレバー１３５は、外周面１３２の領域内の分注デバイスを作動させるためのピン１３３を押す。最も単純な事例では、レバー１３５またはピン１３３が作動されたときに液体が小開口部１１から外へ噴霧されるように、適切な過剰圧力がリザーバ２１内に蓄えられ得る。しかし、同様に、小開口部１１を介して液体の一部が分注されるように、レバー１３５またはピン１３３によって引き起こされるパルスの結果としてリザーバ２１内の圧力を高めるマイクロポンプがここに設けられることが可能である。リザーバ２１内の圧力上昇を伴わないポンプを介した直接の分注もまた、実現可能である。
【００４５】
図３では、本発明によるボトル・キャップ２００のさらなる実施形態が示されている。このボトル・キャップ２００は、フリップ・クロージャ２３０を有する。フリップ・クロージャ２３０上にはピン２３３が同様に設けられており、このピン２３３は、フリップ・クロージャ２３０が開かれたときに、外周面２３２上に設けられた止め具２３１と相互作用する。この止め具は、例えば、リザーバ内に用意された少量の液体の小開口部１１を介した分注を生じさせるポンプを作動させることができる。
【００４６】
原則的に、当業者に知られた態様で達成可能な様々なデバイスが、リザーバからの液体の分注に検討され得る。能動的なポンピングが機械的または電気的なポンプによって提供されるのか、または外圧を加えることによって提供されるのかは、いずれの場合にも、望ましい実施形態に依存する。
【００４７】
しかし、本発明に欠かせないのは、飲用前および／または飲用後の少量の液体の分注が使用者にあたかも水以外の液体を飲んでいると思わせるという知見である。
【００４８】
したがって、本発明によるボトル・キャップを使用することにより、味覚体験を著しく損なうことなしに、飲用中のカロリー摂取量を減少させることができる。
【図１】
2020128259.tif 000003
【図２】
2020128259.tif 000004
【図３】
2020128259.tif 000005
【外国語明細書】
2020128259000001.pdf